(57)【特許請求の範囲】
【請求項１】
一枚のシート（２）を複数回折り曲げることにより、外周の側壁（３，４，５，６）間に上下に複数の平面部（７，８，９）が形成され、
該複数の平面部（７，８，９）のうち、上下中間の平面部（８）を底面として上方に開口した収納凹部（１０）が形成される梱包用トレイ（１）であって、
上記収納凹部（１０）を形成する底面には、一対の直線状の差込用孔（１１）が形成され、
上記複数の平面部（７，８，９）のうち、上側の平面部（７）には、一対の平行なスリット（１７）が形成され、該一対のスリット（１７）間には、
上記収納凹部（１０）の上縁から連続し、内側に折り込むことにより、収納凹部（１０）の側面の１つを構成する一対の仕切板（１２）と、
上記仕切板（１２）の底辺（１２ａ）に連続し、該底辺（１２ａ）からさらに内側に折り込まれ、上記上下中間の平面部（８）に重なると共に、先端が上記外周の側壁（３，５）内面に当接する一対の保持片（１５）と、
上記仕切板（１２）の底辺（１２ａ）の折り曲げ線よりも突出し、一対の上記差込用孔（１１）に差し込まれる一対の差込突部（１３）とが直線状に並んで形成され、
上記保持片の先端には、指先を掛けるための一対の指掛用切欠（１６）が形成されている
ことを特徴とする梱包用トレイ。
【発明の詳細な説明】
【技術分野】
【０００１】
携帯電話機などの電子機器を梱包するための梱包用トレイであって、特にその輸送時の落下や振動対策に関する。
【背景技術】
【０００２】
従来より、梱包関係においては環境負荷を減らすために、段ボールのような容易にリサイクルできる材料を使用し、梱包材料や接着剤をできるだけ使用しないようにしている。      
【０００３】
例えば、特許文献１は、一枚の段ボールを複雑に折り曲げ、孔に差込み口を挿入することにより結合し、接着剤の使用を避けたり、ステップル等の金属での結合を避けている。また、商品の梱包に使用する商品保護枠として、未使用時の折畳み形態から使用時の製品収容凹所を備える箱枠形態になるように、簡単な操作で容易に組み立てることができ、かつ箱枠形態での剛性が大きく形態安定性に優れ、商品を適度な緩衝状態で確実に固定でき、また商品が複数の製品パーツを１セットにしたものであっても、各製品パーツに対応した大きさの異なる複数の製品収容凹所を簡単に構成できるものとなっている。
【特許文献１】特開２００６−１６０４０公報
【発明の開示】
【発明が解決しようとする課題】
【０００４】
しかしながら、特許文献１は、製品収容凹所に電子機器等の製品を収納した状態で落下等の衝撃が加わると、上下両側から仕切板で狭持されているものの、仕切板の差込量が十分とはいえないので、製品が仕切板に衝突して仕切板が差込孔から外れ、製品が仕切板を越えるおそれがある。
【０００５】
本発明は、かかる点に鑑みてなされたものであり、その目的とするところは、梱包用トレイを、組立が極めて容易で落下や振動に強いものとすることを目的とする。
【課題を解決するための手段】
【０００６】
上記目的を達成するために第１の発明では、一枚のシートを複数回折り曲げることにより、外周の側壁間に上下に複数の平面部が形成され、
該複数の平面部のうち、上下中間の平面部を底面として上方に開口した収納凹部が形成される梱包用トレイを対象とする。
【０００７】
そして、上記梱包用トレイにおいて、
上記収納凹部を形成する底面には、一対の直線状の差込用孔が形成され、
上記複数の平面部のうち、上側の平面部には、一対の平行なスリットが形成され、該一対のスリット間には、
上記収納凹部の上縁から連続し、内側に折り込むことにより、収納凹部の側面の１つを構成する一対の仕切板と、
上記仕切板の底辺に連続し、該底辺からさらに内側に折り込まれ、上記上下中間の平面部に重なると共に、先端が上記外周の側壁内面に当接する一対の保持片と、
上記仕切板の底辺の折り曲げ線よりも突出し、一対の上記差込用孔に差し込まれる一対の差込突部とが直線状に並んで形成され、
上記保持片の先端には、指先を掛けるための一対の指掛用切欠が形成されている。
【０００８】
上記の構成によると、収納凹部の上縁から連続する仕切板を内側に折り曲げ、さらに、仕切板の底辺を折り曲げ、その底辺の折り曲げ線から差込突部を突出させると共に、折り曲げ線に連続する保持片を上下中間の平面部に重ねながら、その先端を外周の側壁内面に当接させ、差込突部を収納凹部の底面に設けた差込用孔に挿入する。このことで、仕切板が堅固に固定され、製品を梱包した状態で落下や振動により、収納凹部を広げる方向へ仕切板に力が加わっても、保持片が側壁内面に当接しているので、それ以上仕切板は広がらず、差込突部が差込用孔から容易に外れない。逆に収納凹部を狭める方向に力が加わっても、その力は底面に当接する保持片に分散されるので、差込突部が差込用孔から容易に外れない。また、仕切板及び仕切板に連続する保持片を内側に折り曲げる際に指掛用切欠に指先を掛けることで、折り曲げ作業が容易に行われる。
【発明の効果】
【０００９】
以上説明したように、本発明によると、一枚のシートを複数回折り曲げ、収納凹部の底面に設けた一対の差込用孔に仕切板底辺の一対の差込突部を挿入すると共に、仕切板に連続する一対の保持片を上下中間の平面部に重ね、その先端を外周の側壁内面に当接させ、仕切板を確実に固定するようにした。このため、組立が極めて容易であると共に、保持片と差込突部との相乗効果で、落下、振動に強い梱包用トレイが得られる。
【発明を実施するための最良の形態】
【００１０】
以下、本発明の実施形態を図面に基づいて説明する。
【００１１】
図１及び図２は本発明の実施形態の梱包用トレイ１を示し、図３に折り畳む前の段ボールシート２を示す。
【００１２】
梱包用トレイ１は、一枚の段ボールシート２を複数回折り曲げることにより、直方体状に組み立てられる。具体的には、梱包用トレイ１は、外周を囲む第１〜第４側壁３，４，５，６と、上下に並んだ第１〜第３平面部７，８，９とを有する。
【００１３】
第１側壁３及び第３側壁５は、梱包用トレイ１の幅方向を塞ぐもので、先端にそれぞれ折り込み用のフラップ部３ａ，５ａを備えている。フラップ部３ａ，５ａは、梱包用トレイ１の幅方向に延びる幅方向折曲線３１で折り曲げ可能となっている。第２側壁４は、梱包用トレイ１の底面を構成する第３平面部９に連続し、この第３平面部９は、糊付用のフラップ部９ａを備えている。第４側壁６は、第２平面部８に連続している。第２側壁４と第３平面部９、第３平面部９とそのフラップ部９ａ及び第４側壁６と第２平面部８の間には、それぞれ折り曲げやすいようにＨ形のスリット３０が複数加工されている。スリット３０のないところには、長手方向に延びる長手方向折曲線３２が形成されている。
【００１４】
上記第１〜第３平面部７，８，９のうち、上下中間の第２平面部８を底面として上方に開口した収納凹部１０が形成されている。この収納凹部１０には、携帯電話機本体５０が収納されるようになっている。つまり、第２平面部８は、携帯電話機本体５０が収納状態でぐらつかないように、上げ底になっている。
【００１５】
上記収納凹部１０を形成する第２平面部８には、一対の直線状の差込用孔１１が向かい合うように互いに平行に形成されている。
【００１６】
上記収納凹部１０の上縁には、内側に折り込むことにより、収納凹部１０の側面を構成する一対の仕切板１２が形成されている。仕切板１２の底辺１２ａには、保持片１５が連続して形成されている。図６に示すように、保持片１５は、仕切板１２を、底辺１２ａを折り曲げ線としてさらに内側に折り込むことにより、第２平面部８に重なると共に、先端１５ａが第１側壁３又は第３側壁５に当接するように構成されている。保持片１５の先端１５ａには、指先を掛けるための半円形の指掛用切欠１６が形成されている。
【００１７】
保持片１５を折り曲げることにより、折り曲げ線の底辺１２ａから差込突部１３が突出するようにコ字状のスリットが設けられている。差込突部１３は、差込用孔１１の幅よりも若干幅が狭くなっている。このことで、仕切板１２を収納凹部１０上縁の幅方向折曲線３１に沿って折り曲げて収納凹部１０の側面とするときに、差込突部１３が差込用孔１１に差し込まれて抜け止めされるように構成されている。また、差込突部１３を差込用孔１１に差し込んだ状態で、仕切板１２の底辺１２ａは、第２平面部８に当接している。
【００１８】
第２平面部８に連続する収納凹部１０の凹部長手方向側壁１０ａは、下端に起立部１０ｂが切り込まれ、組み立てられたときに、その起立部１０ｂ先端が第３平面部９に当接するようになっている。
【００１９】
梱包用トレイ１は、収納凹部１０に並んで、付属部品であるケーブル、電装品、電池等が梱包される付属品収容部２０を備えている。この付属品収容部２０の底面は、最も低い第３平面部９で構成されている。付属品収容部２０の収容部長手方向側壁２０ａは、糊付部２０ｂを介して凹部長手方向側壁１０ａに連続し、下端に一対の切込部２０ｃを備えている。この切込部２０ｃには、第１平面部７に連続して付属品収容部２０の側壁を構成する収容部幅方向側壁２０ｄが幅方向折曲線３１で折り曲げられた起立状態で差し込まれるようになっている。
【００２０】
−梱包用トレイ１の組立手順−
次に、本実施形態にかかる梱包用トレイ１の組立手順について説明する。
【００２１】
まず、一枚の段ボールシート２を図３に示す展開図のように切り抜き、スリット３０及び幅方向折曲線３１及び長手方向折曲線３２を形成する。このとき、差込用孔１１、仕切板１２、差込突部１３、起立部１０ｂ、切込部２０ｃ等も切り込み加工しておく。
【００２２】
次いで、第４側壁６及び糊付部２０ｂに糊を塗布しておく。
【００２３】
次いで、長手方向折曲線３２に沿って順次段ボールシート２を折り曲げる。すると、糊を塗布した第４側壁６とフラップ部９ａとが貼り付けられ、糊付部２０ｂと第１平面部７裏面とが貼り付けられる。この状態で段ボールシート２は、幅方向に折り畳み可能となり、折り畳んで第１〜第３平面部７，８，９が重なった状態の段ボールシート２を商品梱包場所に運搬すると、かさが減って運搬しやすい。
【００２４】
次いで、一対の仕切板１２を幅方向折曲線３１に沿って内側へ折り曲げる。仕切板１２を折り曲げるときには、指掛用切欠１６に指先を掛けることで、折り曲げ作業が容易に行われる。まず、仕切板１２の底辺１２ａを折り曲げ、保持片１５の先端を第３平面部９に摺接させながら折り込み、底辺１２ａが第３平面部９に摺接する際には、仕切板１２を押さえながら、差込突部１３を差込用孔１１に差し込む。すると、保持片１５が第２平面部８に重なる。
【００２５】
最後に第１側壁３のフラップ部３ａ及び第３側壁５のフラップ部５ａを第３平面部９側に差し込んで梱包用トレイ１の組立が完了する。この段階で図６に示すように、第１側壁３及び第３側壁５のそれぞれの内面は、保持片１５の先端に当接するので、保持片１５がさらに水平に移動することはない。このようにして、仕切板１２が堅固に保持され、製品を梱包した状態で落下や振動により外力が加わっても、差込突部１３が差込用孔１１から容易に外れない。
【００２６】
この状態で、図４に示すように、収納凹部１０に携帯電話機本体５０を挿入し、付属品収容部２０に付属品を収容する。この後、図５に示すように、外箱５１に挿入し、外箱５１の第１フラップ部５１ａを折り込んだ上で取扱説明書５２等が収納され、第２フラップ部５１ｂで蓋をすることで携帯電話機の梱包作業が完成する。
【００２７】
このとき、携帯電話機は、携帯電話機本体５０のように比重の大きいものが、落下や振動により外力を受けて仕切板１２に衝撃を与えやすいが、収納凹部１０を広げる方向へ仕切板１２に力が加わっても、保持片１５が第３側壁５内面に当接しているので、それ以上仕切板１２は広がらず、差込突部１３が差込用孔１１から容易に外れない。逆に収納凹部１０を狭める方向に力が加わっても、その力は底面（第２平面部８）に当接する保持片１５に分散されるので、差込突部１３が差込用孔１１から容易に外れない。このため、携帯電話機本体５０が収納凹部１０内でぐらつくことはないので、携帯電話機等の運搬が容易である。
【００２８】
−実施形態の効果−
したがって、本実施形態にかかる梱包用トレイ１によると、一枚の段ボールシート２を複数回折り曲げ、収納凹部１０の底面に設けた差込用孔１１に仕切板１２の底辺１２ａの差込突部１３を挿入すると共に、仕切板１２に連続する保持片１５を第２平面部８に重ね、その先端１５ａを第１側壁３又は第３側壁５に当接させ、仕切板１２を確実に固定するようにした。このため、組立が極めて容易であると共に、保持片１５と差込突部１３との相乗効果で、落下、振動に強い梱包用トレイ１が得られる。
【００２９】
（その他の実施形態）
本発明は、上記実施形態について、以下のような構成としてもよい。
【００３０】
上記実施形態では、収納凹部１０に携帯電話機本体５０を挿入したが、これに限定されず、ＰＨＳ、ＰＤＡ、ＰＣ、モバイルツール、電子辞書、電卓、複写機等幅広い用途がある。
【００３１】
なお、以上の実施形態は、本質的に好ましい例示であって、本発明、その適用物や用途の範囲を制限することを意図するものではない。
【図面の簡単な説明】
【００３２】
【図１】本発明の実施形態にかかる梱包用トレイの斜視図である。
【図２】梱包用トレイの平面図である。
【図３】組立前の梱包用トレイの展開図である。
【図４】梱包用トレイを外箱に挿入した様子を示す斜視図である。
【図５】梱包用トレイを挿入後、取扱説明書を挿入する様子を示す斜視図である。
【図６】図２のVI−VI線断面図である。
【符号の説明】
【００３３】
１      梱包用トレイ
２      段ボールシート（シート）
３      第１側壁
４      第２側壁
５      第３側壁
６      第４側壁
７      第１平面部
８      第２平面部（上下中間の平面部）
９      第３平面部
１０      収納凹部
１１      差込用孔
１２      仕切板
１２ａ    底辺
１３      差込突部
１５      保持片
１６      指掛用切欠
１７      一対のスリット
【図１】
0005290559.tif 000002
【図２】
0005290559.tif 000003
【図３】
0005290559.tif 000004
【図４】
0005290559.tif 000005
【図５】
0005290559.tif 000006
【図６】
0005290559.tif 000007